(57)【要約】【課題】  撮影装置における所定のボタンへの撮影に関する設定項目の割り当てや再度の割り当てを容易に行なう。【解決手段】  デジタルカメラ２０の４方向ボタン３２の上下左右の操作に対して所望のメニュー項目を割り当てて割当ファイルとして記憶媒体５３に記憶し、必要に応じて記憶媒体５３に記憶した割当ファイルを入力して４方向ボタン３２の上下左右の操作に対するメニュー項目の割り当てを設定する。この結果、デジタルカメラ２０の４方向ボタン３２の上下左右の操作に対するメニュー項目の割り当てやその再設定を迅速に且つ容易に行なうことができる。したがって、複数人で交代してデジタルカメラ２０を使用する場合でも、各人毎に割当ファイルを記憶媒体５３に記憶することにより、各人毎の４方向ボタン３２の上下左右の操作に対するメニュー項目の割り当てを容易に行なうことができる。【選択図】        図３
2005086509.tif 000002
【特許請求の範囲】
【請求項１】
画像を撮影する撮影装置であって、
着脱可能に装着され、撮影した画像のファイルを含む情報を記憶可能な着脱式情報記憶手段と、
撮影に対する機能を設定する複数の設定項目の処理を記憶する項目処理記憶手段と、
操作者の操作に基づいて前記複数の設定項目のうち少なくとも一つの設定項目を所定のボタンに割り当てる割当手段と、
該割当手段により設定項目が前記所定のボタンに割り当てられたとき、該設定項目の割り当てに関する割当情報を前記着脱式情報記憶手段に記憶させる割当情報記憶手段と、
操作者による所定の操作により前記着脱式情報記憶手段に記憶された割当情報を入力する割当情報入力手段と、
前記割当手段により設定項目が前記所定のボタンに割り当てられた以降に又は前記割当情報入力手段により前記割当情報が入力された以降に画像を撮影可能な状態で前記所定のボタンが操作されたとき、前記項目処理記憶手段に記憶された複数の設定項目の処理のうち前記所定のボタンに割り当てられた設定項目に対応する処理を実行する項目処理実行手段と、
を備える撮影装置。
【請求項２】
請求項１記載の撮影装置であって、
前記割当情報記憶手段は、前記割当手段による複数回の異なる割り当てに対して異なる複数の割当情報を前記着脱式情報記憶手段に記憶させる手段であり、
前記割当情報入力手段は、前記着脱式情報記憶手段に記憶された複数の割当情報から入力する割当情報の選択を伴って該選択に係る割当情報を入力する手段である
撮影装置。
【請求項３】
前記割当情報記憶手段は、前記着脱式情報記憶手段に記憶された複数の割当情報から情報を更新する割当情報の指定を伴って該指定に係る割当情報を更新する手段である請求項２記載の撮影装置。
【請求項４】
前記割当情報記憶手段は、前記割当情報入力手段により入力された割当情報を前記情報を更新する割当情報のデフォルトとして指定可能な手段である請求項３記載の撮影装置。
【請求項５】
前記割当情報入力手段は、電源の投入を前記所定の操作として前記割当情報を入力する手段である請求項１ないし４いずれか記載の撮影装置。
【請求項６】
前記割当情報入力手段は、前記着脱式情報記憶手段の装着を前記所定の操作として前記割当情報を入力する手段である請求項１ないし５いずれか記載の撮影装置。
【請求項７】
請求項１ないし６いずれか記載の撮影装置であって、
前記所定のボタンは、上下左右の４方向に操作可能な４方向ボタンであり、
前記割当手段は、前記４方向ボタンの上下左右の４方向の操作に対して異なる４つの設定項目を割当可能な手段である
撮影装置。
【請求項８】
前記撮影装置はデジタルカメラである請求項１ないし７いずれか記載の撮影装置。
【請求項９】
着脱可能に装着され撮影した画像のファイルを含む情報を記憶可能な着脱式情報記憶手段と、撮影に対する機能を設定する複数の設定項目の処理を記憶する項目処理記憶手段とを備える撮影装置の処理方法であって、
（ａ）操作者の操作に基づいて前記複数の設定項目のうち少なくとも一つの設定項目を所定のボタンに割り当て、
（ｂ）該設定項目が前記所定のボタンに割り当てられたとき、該設定項目の割り当てに関する割当情報を前記着脱式情報記憶手段に記憶させ、
（ｃ）操作者による所定の操作により前記着脱式情報記憶手段に記憶された割当情報を入力し、
（ｄ）前記設定項目が前記所定のボタンに割り当てられた以降に又は前記割当情報が入力された以降に画像を撮影可能な状態で前記所定のボタンが操作されたとき、前記項目処理記憶手段に記憶された複数の設定項目の処理のうち前記所定のボタンに割り当てられた設定項目に対応する処理を実行する
撮影装置の処理方法。
【請求項１０】
着脱可能に装着され撮影した画像のファイルを含む情報を記憶可能な着脱式情報記憶手段と、撮影に対する機能を設定する複数の設定項目の処理を記憶する項目処理記憶手段とを備える撮影装置に用いられるプログラムであって、
操作者の操作に基づいて前記複数の設定項目のうち少なくとも一つの設定項目を所定のボタンに割り当てるモジュールと、
該設定項目が前記所定のボタンに割り当てられたとき、該設定項目の割り当てに関する割当情報を前記着脱式情報記憶手段に記憶させるモジュールと、
操作者による所定の操作により前記着脱式情報記憶手段に記憶された割当情報を入力するモジュールと、
前記設定項目が前記所定のボタンに割り当てられた以降に又は前記割当情報が入力された以降に画像を撮影可能な状態で前記所定のボタンが操作されたとき、前記項目処理記憶手段に記憶された複数の設定項目の処理のうち前記所定のボタンに割り当てられた設定項目に対応する処理を実行するモジュールと、
を備えるプログラム。
【発明の詳細な説明】
【技術分野】
【０００１】
本発明は、撮影装置およびその処理方法並びに撮影装置用のプログラムに関する。
【背景技術】
【０００２】
従来、この種の撮影装置としては、４方向の十字ボタンに所望の項目を割り当てる電子カメラが提案されている（例えば、特許文献１参照）。この電子カメラでは、階層的なメニュー形式で記憶されたメニュー項目を十字ボタンに割り当て、十字ボタンが操作されたときに割り当てられたメニュー項目を実行することにより、電子カメラの操作性の向上を図っている。
【特許文献１】特開２００２−３４４７７７号公報（図４）
【発明の開示】
【発明が解決しようとする課題】
【０００３】
しかしながら、こうした撮影装置では、複数人で交代して使用するときには、十字ボタンに割り当てたいメニュー項目が各人により異なるため、交代する毎にメニュー項目の割り当て操作を行なう必要がある。メニュー項目の割り当ては、十字ボタンの場合には４方向に４つのメニュー項目を割り当てるから、４回の割り当て操作が必要となり、頻繁に使用者が交代する場合には煩雑なものとなる。
【０００４】
本発明の撮影装置およびその処理方法並びに撮影装置用のプログラムは、所定のボタンへの設定項目の割り当てを容易に行なうことを目的の一つとする。また、本発明の撮影装置およびその処理方法並びに撮影装置用のプログラムは、複数人で交代して使用する際でも各人毎の設定項目の所定のボタンへの割り当てを簡易に且つ迅速に行なうことを目的の一つとする。さらに、本発明の撮影装置およびその処理方法並びに撮影装置用のプログラムは、所定のボタンへの設定項目の再度の割り当てを容易に行なうことを目的の一つとする。
【課題を解決するための手段】
【０００５】
本発明の撮影装置およびその処理方法並びに撮影装置用のプログラムは、上述の目的の少なくとも一部を達成するために以下の手段を採った。
【０００６】
本発明の撮影装置は、
画像を撮影する撮影装置であって、
着脱可能に装着され、撮影した画像のファイルを含む情報を記憶可能な着脱式情報記憶手段と、
撮影に対する機能を設定する複数の設定項目の処理を記憶する項目処理記憶手段と、
操作者の操作に基づいて前記複数の設定項目のうち少なくとも一つの設定項目を所定のボタンに割り当てる割当手段と、
該割当手段により設定項目が前記所定のボタンに割り当てられたとき、該設定項目の割り当てに関する割当情報を前記着脱式情報記憶手段に記憶させる割当情報記憶手段と、
操作者による所定の操作により前記着脱式情報記憶手段に記憶された割当情報を入力する割当情報入力手段と、
前記割当手段により設定項目が前記所定のボタンに割り当てられた以降に又は前記割当情報入力手段により前記割当情報が入力された以降に画像を撮影可能な状態で前記所定のボタンが操作されたとき、前記項目処理記憶手段に記憶された複数の設定項目の処理のうち前記所定のボタンに割り当てられた設定項目に対応する処理を実行する項目処理実行手段と、
を備えることを要旨とする。
【０００７】
この本発明の撮影装置では、操作者の操作に基づいて複数の設定項目のうち少なくとも一つの設定項目を所定のボタンに割り当てたときには、設定項目の割り当てに関する割当情報を着脱可能に装着された着脱式情報記憶手段に記憶させ、操作者によって所定の操作がなされたときには着脱式情報記憶手段に記憶された割当情報を入力する。したがって、所定のボタンに設定項目の割り当て操作を行なったら、その後は着脱式情報記憶手段から割当情報を入力するだけで所定のボタンへの設定項目の割り当てを行なうことができる。この結果、所定のボタンへの設定項目の割り当ておよび再度の割り当てを容易に行なうことができる。もとより、設定項目が所定のボタンに割り当てられた以降に又は割当情報が入力された以降に画像を撮影可能な状態で所定のボタンが操作されることにより、所定のボタンに割り当てられた設定項目に対応する処理を実行することができる。ここで、撮影装置としてはデジタルカメラが含まれる。
【０００８】
こうした本発明の撮影装置において、前記割当情報記憶手段は前記割当手段による複数回の異なる割り当てに対して異なる複数の割当情報を前記着脱式情報記憶手段に記憶させる手段であり、前記割当情報入力手段は前記着脱式情報記憶手段に記憶された複数の割当情報から入力する割当情報の選択を伴って該選択に係る割当情報を入力する手段であるものとすることもできる。こうすれば、着脱式情報記憶手段から異なる複数の割当情報を記憶させることができると共に着脱式情報記憶手段に記憶させた異なる複数の割当情報から選択して割当情報を入力することができる。この結果、複数人で交代して使用する際でも各人毎の設定項目の所定のボタンへの割り当てを簡易に且つ迅速に行なうことができる。
【０００９】
この複数の割当情報を記憶させたり複数の割当情報から選択して割当情報を入力する態様の本発明の撮影装置において、前記割当情報記憶手段は、前記着脱式情報記憶手段に記憶された複数の割当情報から情報を更新する割当情報の指定を伴って該指定に係る割当情報を更新する手段であるものとすることもできる。こうすれば、割当情報を更新することができる。この場合、前記割当情報記憶手段は、前記割当情報入力手段により入力された割当情報を前記情報を更新する割当情報のデフォルトとして指定可能な手段であるものとすることもできる。こうすれば、更新する割当情報の指定を容易に行なうことができる。
【００１０】
本発明の撮影装置において、前記割当情報入力手段は、電源の投入を前記所定の操作として前記割当情報を入力する手段であるものとすることもできる。こうすれば、操作者は、割当情報を入力するための特別な操作を行なうことなしに、電源を投入するだけで割当情報を入力することができる。
【００１１】
本発明の撮影装置において、前記割当情報入力手段は、前記着脱式情報記憶手段の装着を前記所定の操作として前記割当情報を入力する手段であるものとすることもできる。こうすれば、操作者は、割当情報を入力するための特別な操作を行なうことなしに、着脱式情報記憶手段を装着するだけで割当情報を入力することができる。
【００１２】
本発明の撮影装置において、前記所定のボタンは上下左右の４方向に操作可能な４方向ボタンであり、前記割当手段は前記４方向ボタンの上下左右の４方向の操作に対して異なる４つの設定項目を割当可能な手段であるものとすることもできる。こうすれば、最大４つの設定項目を４方向ボタンの４方向の操作に対して割り当てることができる。
【００１３】
本発明の撮影装置の処理方法は、
着脱可能に装着され撮影した画像のファイルを含む情報を記憶可能な着脱式情報記憶手段と、撮影に対する機能を設定する複数の設定項目の処理を記憶する項目処理記憶手段とを備える撮影装置の処理方法であって、
（ａ）操作者の操作に基づいて前記複数の設定項目のうち少なくとも一つの設定項目を所定のボタンに割り当て、
（ｂ）該設定項目が前記所定のボタンに割り当てられたとき、該設定項目の割り当てに関する割当情報を前記着脱式情報記憶手段に記憶させ、
（ｃ）操作者による所定の操作により前記着脱式情報記憶手段に記憶された割当情報を入力し、
（ｄ）前記設定項目が前記所定のボタンに割り当てられた以降に又は前記割当情報が入力された以降に画像を撮影可能な状態で前記所定のボタンが操作されたとき、前記項目処理記憶手段に記憶された複数の設定項目の処理のうち前記所定のボタンに割り当てられた設定項目に対応する処理を実行する
ことを要旨とする。
【００１４】
この本発明の撮影装置の処理方法によれば、操作者の操作に基づいて複数の設定項目のうち少なくとも一つの設定項目を所定のボタンに割り当てたときには、設定項目の割り当てに関する割当情報を着脱可能に装着された着脱式情報記憶手段に記憶させ、操作者によって所定の操作がなされたときには着脱式情報記憶手段に記憶された割当情報を入力するから、所定のボタンに設定項目の割り当て操作を行なったら、その後は着脱式情報記憶手段から割当情報を入力するだけで所定のボタンへの設定項目の割り当てを行なうことができる。この結果、所定のボタンへの設定項目の割り当ておよび再度の割り当てを容易に行なうことができる。もとより、設定項目が所定のボタンに割り当てられた以降に又は割当情報が入力された以降に画像を撮影可能な状態で所定のボタンが操作されることにより、所定のボタンに割り当てられた設定項目に対応する処理を実行することができる。
【００１５】
本発明の撮影装置用のプログラムは、
着脱可能に装着され撮影した画像のファイルを含む情報を記憶可能な着脱式情報記憶手段と、撮影に対する機能を設定する複数の設定項目の処理を記憶する項目処理記憶手段とを備える撮影装置に用いられるプログラムであって、
操作者の操作に基づいて前記複数の設定項目のうち少なくとも一つの設定項目を所定のボタンに割り当てるモジュールと、
該設定項目が前記所定のボタンに割り当てられたとき、該設定項目の割り当てに関する割当情報を前記着脱式情報記憶手段に記憶させるモジュールと、
操作者による所定の操作により前記着脱式情報記憶手段に記憶された割当情報を入力するモジュールと、
前記設定項目が前記所定のボタンに割り当てられた以降に又は前記割当情報が入力された以降に画像を撮影可能な状態で前記所定のボタンが操作されたとき、前記項目処理記憶手段に記憶された複数の設定項目の処理のうち前記所定のボタンに割り当てられた設定項目に対応する処理を実行するモジュールと、
を備えることを要旨とする。
【００１６】
この本発明の撮影装置用のプログラムによれば、プログラムを撮影装置にインストールして実行させることにより、撮影装置を、操作者の操作に基づいて複数の設定項目のうち少なくとも一つの設定項目を所定のボタンに割り当てたときには、設定項目の割り当てに関する割当情報を着脱可能に装着された着脱式情報記憶手段に記憶させ、操作者によって所定の操作がなされたときには着脱式情報記憶手段に記憶された割当情報を入力することができるものとすることができる。したがって、撮影装置を、所定のボタンに設定項目の割り当て操作を行なったら、その後は着脱式情報記憶手段から割当情報を入力するだけで所定のボタンへの設定項目の割り当てを行なうことができるものとすることができる。この結果、所定のボタンへの設定項目の割り当ておよび再度の割り当てを容易に行なうことができる。もとより、設定項目が所定のボタンに割り当てられた以降に又は割当情報が入力された以降に画像を撮影可能な状態で所定のボタンが操作されることにより、所定のボタンに割り当てられた設定項目に対応する処理を実行することができる。
【発明を実施するための最良の形態】
【００１７】
次に、本発明を実施するための最良の形態を実施例を用いて説明する。
【実施例】
【００１８】
図１は本発明の一実施例としてのデジタルカメラ２０の外観を例示する斜視図であり、図２は実施例のデジタルカメラ２０の背面を例示する背面図であり、図３は実施例のデジタルカメラ２０の機能ブロックを例示するブロック図である。
【００１９】
実施例のデジタルカメラ２０は、図１に示すように、正面には光学３倍ズームが可能なズーム機構付きレンズ２１と、点滅することによりセルフタイマーが動作中であることを表示するセルフタイマー点灯部２５とを備え、上部にはモードを選択するモードダイヤル２３と、このモードダイヤル２３の中央に配置された電源ボタン２２と、シャッターボタン２４とを備える。また、デジタルカメラ２０は、図２に示すように、背面３０には、中央の左寄りに配置された液晶ディスプレイ３１と、その右側に配置され上下左右の方向に操作可能な４方向ボタン３２と、背面３０の左上に配置された印刷ボタン３３と、ズーム機能を操作するＷボタン３４ａおよびＴボタン３４ｂと、４方向ボタン３２の左上に配置されたメニューボタン３５と、液晶ディスプレイ３１の下方の左右に配置されたＡボタン３６およびＢボタン３７と、４方向ボタン３２の下方左に配置され液晶ディスプレイ３１への表示を切り替えるディスプレーボタン３８と、その右方向に配置されたレビューボタン３９とを備える。
【００２０】
実施例のデジタルカメラ２０は、機能的には図３に例示するように、中央演算処理装置としてのＣＰＵ４０ａや処理プログラムを記憶するＲＯＭ４０ｂ，一時的にデータを記憶するワークメモリ４０ｃ，設定されたデータを不揮発的に記憶するフラッシュメモリ４０ｄなどを中心として構成されている。デジタルカメラ２０は、撮影系として、レンズや絞りなどにより構成された光学系４２や、この光学系４２により結像される光学像を光電変換して得られる電荷を受光セル毎に一定時間蓄積し受光セル毎の受光量に応じた電気信号を出力するイメージセンサ４３、このイメージセンサ４３を駆動するために必要な駆動パルスをイメージセンサ４３に出力する駆動回路としてのセンサコントローラ４４、イメージセンサ４３から出力される電気信号を量子化してディジタル信号に変換するアナログフロントエンド（ＡＦＥ）部４５、このＡＦＥ部４５から出力されたディジタル信号に対して画像形成処理，ホワイトバランス補正，γ補正，色空間変換等を施して各画素についてＲ，Ｇ，Ｂの階調値やＹ，Ｃｂ，Ｃｒの階調値などを表すディジタル画像を出力するデジタル画像処理部４６、ディジタル画像の系列変換（離散コサイン変換やウェーブレット変換等）及びエントロピー符号化（ランレングス符号化やハフマン符号化等）を行なうことによりディジタル画像を圧縮しそれらの逆変換を施すことによりディジタル画像を伸張する圧縮伸張部４７などを備える。また、実施例のデジタルカメラ２０は、液晶ディスプレイ３１の一画面分のデータを格納するためのフレームバッファやフレームバッファに格納されたディジタル画像に基づいて液晶ディスプレイ３１を駆動するための表示回路を有するディスプレイコントローラ５０やモードダイヤル２３，４方向ボタン３２，各種ボタン２４，３３〜３９の入力および着脱可能なフラッシュメモリなどの記憶媒体５３への入出力を司る入出力インタフェース５２、ＵＳＢ（Universal Serial Bus）接続端子５５に接続された機器（コンピュータやプリンタ）と通信のやり取りを管理するＵＳＢホストコントローラ５４やＵＳＢデバイスコントローラなども備えている。なお、デジタル画像処理部４６により画像処理された画像データや圧縮伸張部４７により圧縮・伸張された画像データは、一旦ワークメモリ４０ｃに書き込まれ、その後、撮影順にＩＤとしてのファイル名が付与されて画像ファイルとして入出力インタフェース５２を介して記憶媒体５３に書き込まれる。
【００２１】
次に、こうして構成された実施例のデジタルカメラ２０の動作、特に４方向ボタン３２に撮影に関するメニュー項目を割り当てる際の動作について説明する。図４は、メニュー項目の割当設定処理の一例を示すフローチャートである。割当設定処理は、モードダイヤル２３により撮影モードが選択された後にメニューボタン３５が操作されたときに表示されるメニュー項目から４方向ボタン３２を操作することにより「メニュー割り当て」を選択したときに実行される。この割当実行処理が実行されると、予めＲＯＭ４０ｂに記憶された割当画面を液晶ディスプレイ３１に表示して（ステップＳ１００）、メニュー項目を選択する処理を実行する（ステップＳ１１０）。割当画面の一例を液晶ディスプレイ３１に表示した際の背面３０の一部を図５に示す。図５の例では、液晶ディスプレイ３１の上部には「メニュー割り当て」などのメニュー項目の内容が表示され、その下には４方向ボタン３２の上下左右の方向に整合するよう上下左右に配置された４つのメニュー項目表示欄が表示される。また、液晶ディスプレイ３１の最下部にはＡボタン３６の機能（「もどる」の機能）やＢボタン３７の機能（「決定」の機能）が表示される。この割当画面では、４方向ボタン３２の上下左右のいずれかの方向への複数操作（例えば、右方向への複数操作や上方向の複数操作）により、操作方向に対応したメニュー項目表示欄に複数のメニュー項目がトグルして表示される。メニュー項目表示欄にトグルして表示されるメニュー項目の一例を図６に示す。図示するように、実施例では、いずれのメニューも選択されていない「割当なし」，フレーム付き撮影機能の「Ｐ．Ｉ．Ｆ（PRINT Image Framer）」，撮影モードに合ったモードを設定する「シーンモード」，シャッターボタン２４を押してから設定時間が経過してから撮影する「セルフタイマ」，シャッターボタン２４を押している間中は連続して何枚も撮影する「連続撮影」，撮影画像の明るさを補正する「露出補正」，フィルムカメラのＩＳＯ感度に相当する「感度」，光の条件に応じて白を白く写すために調整する「ホワイトバランス」，画像サイズを変更する「画像サイズ」，画像の圧縮率を変更することにより高画質なファインとノーマルとを選択する「圧縮率」，デジタルズームのオンオフを設定する「デジタルズーム」がこの順にトグルして表示される。なお、こうした各メニュー項目に対する各処理プログラムは予めＲＯＭ４０ｂに記憶されており、メニュー項目の実行が選択されたときにＲＯＭ４０ｂから対応する処理プログラムが読み込まれて実行されることにより各メニュー項目に対する処理が実行されるようになっている。図５に例示した割当画面におけるメニュー項目の選択は、４方向ボタン３２を上下左右の４方向に複数回に亘って操作することにより各方向に対応するメニュー項目表示欄に所望のメニュー項目を表示することにより行ない、各方向へのメニュー項目の決定は各方向に対応するメニュー項目表示欄に所望のメニュー項目を表示させた状態でＢボタン３７を押すことにより行なう（ステップＳ１２０）。
【００２２】
Ｂボタン３７が押されてメニュー項目が決定されると、決定されたメニュー項目の対応する方向への割り当てを設定する（ステップＳ１３０）。具体的には、フラッシュメモリ４０ｄのメニュー割当用に予め設定された領域に４方向ボタン３２の上下左右に対して決定されたメニュー項目を識別する情報を格納することにより行なう。そして、記憶媒体５３に記憶されているメニュー項目の割当ファイル名を入力し（ステップＳ１４０）、入力した割当ファイル名を表示する格納ファイル選択画面を液晶ディスプレイ３１に表示して割当ファイルを選択する処理を行なう（ステップＳ１５０）。格納ファイル選択画面の一例を液晶ディスプレイ３１に表示している際の背面３０の一部を図７に示す。図７の例では、液晶ディスプレイ３１の上部には、「格納ファイルの選択」のように操作に関するメッセージが表示され、その下には「新たなファイル」の項目と記憶媒体５３から入力した割当ファイル名として二つの「割当ファイル１」，「割当ファイル２」の項目とがこの順に表示される。また、液晶ディスプレイ３１の最下部にはＡボタン３６の機能（「もどる」の機能）やＢボタン３７の機能（「決定」の機能）が表示される。格納ファイル選択画面を表示するときのデフォルトの選択対象は、後述する割当入力処理により割当ファイルを入力した後に割当設定処理を行なったときには、割当入力処理により入力した割当ファイルとなる。図７には「割当ファイル１」を入力した後に割当設定処理を行なった場合について示した。実施例では、選択対象は、４方向ボタン３２を上下方向に操作することにより変更することができるから、ファイルの選択は、４方向ボタン３２を上下方向に操作することにより選択対象を所望の「割当ファイル」の項目か「新たなファイル」の項目に変更してＢボタン３７を押すことにより行なうことができる。
【００２３】
こうして割当ファイルが選択されると、４方向ボタン３２の上下左右の４方向に割り当てが決定されたメニュー項目の識別情報を含むファイルを選択した割当ファイルとして記憶媒体５３に格納して（ステップＳ１６０）、割当設定処理を終了する。ここで、ファイル選択画面で「新たなファイル」が選択されたときには、入力した割当ファイル名に次ぐ「割当ファイル３」というファイル名で記憶媒体５３に記憶される。また、ファイル選択画面で、例えば「割当ファイル１」が選択されたときには、同一のファイル名で記憶媒体５３に記憶されている「割当ファイル１」を上書きにより格納する。即ち、ファイル選択画面で「新たなファイル」が選択されたときには新規な割当ファイルを追加し、ファイル選択画面で既存の割当ファイルが選択されたときにはその割当ファイルを更新するのである。
【００２４】
こうして割当設定処理を終了し、モードダイヤル２３により撮影モードとして撮影を行なうことができる状態で４方向ボタン３２を操作すると、操作した方向に割り当てられたメニュー項目を識別する識別情報がフラッシュメモリ４０ｄのメニュー割当用に設定された領域の操作方向に対応する領域から読み出され、そのメニュー項目に対応する処理プログラムがＲＯＭ４０ｂから読み出されて実行される。即ち、デジタルカメラ２０を撮影モードとした状態で４方向ボタン３２を操作するだけで、メニューボタン３５などの操作を行なうことなしに、４方向ボタン３２の操作方向に割り当てられたメニュー項目に対応する処理を実行するのである。例えば、４方向ボタン３２の右方向への操作に「シーンモード」が割り当てられているときに、撮影を行なうことができる状態で４方向ボタン３２を右方向に操作すると、他の操作なしに、図８に例示するように、撮影しようとしている画像に重ねて「シーンモード」が選択された状態のメニューバーが表示されると共に「シーンモード」で選択可能なモード（図中では「ノーマル」，「風景」，「ポートレイト」の３つ）が表示され、シーンモードを選択できるようになる。実施例では、４方向ボタン３２を上下方向に操作することにより、モードを選択し、メニューボタン３５を押すことにより選択したモードに決定する。なお、メニューボタン３５が押されるとメニュー項目の処理も終了し、メニューバーの表示も終了する。
【００２５】
次に、記憶媒体５３に記憶された割当ファイルを入力して４方向ボタン３２の上下左右方向への操作に対するメニュー項目の割り当てを設定する処理について説明する。図９は、割当ファイルを入力してメニュー項目の割り当てを設定する際に実行される割当入力処理の一例を示すフローチャートである。この処理は、記憶媒体５３が装着されたときやデジタルカメラ２０に電源が投入されたとき、メニューボタン３５が操作されて表示されたメニュー項目から割当ファイルの入力が選択されたときに実行される。割当入力処理が実行されると、まず、記憶媒体５３に記憶されている割当ファイル名を入力し（ステップＳ２００）、割当ファイルのファイル数を判定する（ステップＳ２１０）。記憶媒体５３に割当ファイルが記憶されていないときには、入力する割当ファイルがないため、何もせずに割当入力処理を終了する。割当ファイルのファイル数が値１のとき、即ち、記憶媒体５３に一つだけ割当ファイルが記憶されているときには、そのファイルを入力すべきファイルとして設定すると共に（ステップＳ２２０）、その設定したファイルを入力し（ステップＳ２４０）、ファイルに含まれる４方向ボタン３２の上下左右の４方向に割り当てられたメニュー項目の識別情報をフラッシュメモリ４０ｄのメニュー割当用に設定された領域に格納することにより４方向ボタン３２の上下左右の４方向への割り当てを設定して（ステップＳ２５０）、割当入力処理を終了する。
【００２６】
一方、ステップＳ２１０で割当ファイルのファイル数が値２以上の複数のとき、即ち、記憶媒体５３に複数の割当ファイルが記憶されているときには、記憶媒体５３に記憶されている割当ファイル名を表示する入力ファイル選択画面を液晶ディスプレイ３１に表示して入力すべき割当ファイルを選択する処理を行ない（ステップＳ２３０）、選択した割当ファイルを入力し（ステップＳ２４０）、４方向ボタン３２の上下左右の４方向への割り当てを設定して（ステップＳ２５０）、割当入力処理を終了する。入力ファイル選択画面の一例を液晶ディスプレイ３１に表示している際の背面３０の一部を図１０に示す。図１０の例では、液晶ディスプレイ３１の上部には、「入力ファイルの選択」のように操作に関するメッセージが表示され、その下には記憶媒体５３から入力した割当ファイル名として二つの「割当ファイル１」，「割当ファイル２」の項目がこの順に表示される。また、液晶ディスプレイ３１の最下部にはＡボタン３６の機能（「もどる」の機能）やＢボタン３７の機能（「決定」の機能）が表示される。入力ファイル選択画面が表示されるときには、最初の「割当ファイル１」がデフォルトの選択対象として表示される。実施例では、選択対象は、４方向ボタン３２を上下方向に操作することにより変更することができるから、入力ファイルの選択は、４方向ボタン３２を上下方向に操作することにより選択対象を所望の「割当ファイル」の項目に変更してＢボタン３７を押すことにより行なうことができる。
【００２７】
以上説明した実施例のデジタルカメラ２０によれば、４方向ボタン３２の上下左右の操作に対して所望のメニュー項目を割り当てることができる。しかも、４方向ボタン３２の上下左右の操作に対するメニュー項目の割り当ては割当ファイルとして記憶媒体５３に記憶することができると共に記憶媒体５３に記憶した割当ファイルを入力して４方向ボタン３２の上下左右の操作に対するメニュー項目の割り当てを設定することができる。さらに、複数の割当ファイルを記憶媒体５３に記憶することができると共に複数の割当ファイルを記憶している記憶媒体５３から割当ファイルを選択して入力することができる。これらの結果、容易に４方向ボタン３２の上下左右の操作に対して所望のメニュー項目を割り当てることができると共に再割り当ての設定を容易に且つ迅速に行なうことができる。また、複数人で交代してデジタルカメラ２０を使用する場合でも、各人毎に割当ファイルを記憶媒体５３に格納しておき、必要に応じて所望の割当ファイルを選択して入力することにより、各人毎の４方向ボタン３２の上下左右の操作に対するメニュー項目の割り当てを容易に且つ迅速に行なうことができる。
【００２８】
実施例のデジタルカメラ２０によれば、記憶媒体５３が装着されたときに割当入力処理が実行されるから、記憶媒体５３の装着以外の特別な操作を行なうことなく、４方向ボタン３２の上下左右の操作に対するメニュー項目の割り当てを行なうことができる。したがって、複数人が各人毎に所望の割当ファイルを格納した記憶媒体５３を所持しており、複数人で交代してデジタルカメラ２０を使用する際に、交代時に各人用の記憶媒体５３を装着するだけで、各人用の４方向ボタン３２の上下左右の操作に対するメニュー項目の割り当てを自動的に行なうことができる。
【００２９】
また、実施例のデジタルカメラ２０によれば、デジタルカメラ２０に電源が投入されたときに割当入力処理が実行されるから、電源の投入以外の特別な操作を行なうことなく、４方向ボタン３２の上下左右の操作に対するメニュー項目の割り当てを行なうことができる。
【００３０】
ここで、実施例のデジタルカメラ２０では、記憶媒体５３が着脱式情報記憶手段に相当し、ＲＯＭ４０ｂが項目処理記憶手段に相当し、図４の割当設定処理のステップＳ１００〜Ｓ１３０の処理を実行するＣＰＵ４０ａおよび処理に必要な操作を行なうための液晶ディスプレイ３１や４方向ボタン３２，Ｂボタン３７が割当手段に相当し、図４の割当設定処理のステップＳ１４０〜Ｓ１６０を実行するＣＰＵ４０ａが割当情報記憶手段に相当し、図９の割当入力処理のステップＳ２００〜Ｓ２５０を実行するＣＰＵ４０ａが割当情報入力手段に相当し、ＲＯＭ４０ｂに予め記憶された各メニュー項目に対する各処理プログラムのうちから４方向ボタン３２の操作方向に割り当てられたメニュー項目に対応する処理プログラムを読み込んで実行するＣＰＵ４０ａが項目処理実行手段に相当する。
【００３１】
実施例のデジタルカメラ２０では、記憶媒体５３に複数の割当ファイルを格納することができるものとしたが、記憶媒体５３に一つの割当ファイルだけしか格納することができないものとしても構わない。
【００３２】
また、実施例のデジタルカメラ２０では、記憶媒体５３が装着されたときやデジタルカメラ２０に電源が投入されたとき、メニューボタン３５が操作されて表示されたメニュー項目から割当ファイルの入力が選択されたときに割当入力処理を実行するものとしたが、割当入力処理は、記憶媒体５３が装着されたときには実行しないものとしてもよく、また、デジタルカメラ２０に電源が投入されたときには実行しないものとしてもよい。記憶媒体５３が装着されたときやデジタルカメラ２０に電源が投入されたときに割当入力処理を実行するか否かを操作者に確認させるものとしてもよい。この場合、液晶ディスプレイ３１に４方向ボタン３２へのメニュー項目の割り当てを行なうか否かを入力可能な画面を表示するものとすればよい。
【００３３】
実施例のデジタルカメラ２０では、４方向ボタン３２の上下左右の操作に対してメニュー項目を選択する際にメニュー項目表示欄に「割当なし」，「Ｐ．Ｉ．Ｆ」，「シーンモード」，「セルフタイマ」，「連続撮影」，「露出補正」，「感度」，「ホワイトバランス」，「画像サイズ」，「圧縮率」，「デジタルズーム」をトグルして表示するものとしたが、メニュー項目はこれらに限定されるものではなく、これら以外のメニュー項目を表示するものとしてもよいし、これらのメニュー項目の一部を表示するものとしてもよい。また、メニュー項目はトグルして表示しないものとしても差し支えない。
【００３４】
実施例のデジタルカメラ２０では、４方向ボタン３２の上下左右の操作に対してメニュー項目を割り当てるものとしたが、４方向ボタン３２以外のボタンにメニュー項目を割り当てるものとしてもよい。
【００３５】
実施例では、所定のボタンとしての４方向ボタン３２の上下左右の操作に対してメニュー項目を割り当てて割当ファイルとして記憶媒体５３に格納する発明内容をデジタルカメラに適用するものとしたが、着脱可能に記憶媒体が装着されるカメラであればフィルムカメラに適用するものとしても構わない。
【００３６】
実施例では、所定のボタンとしての４方向ボタン３２の上下左右の操作に対してメニュー項目を割り当てて割当ファイルとして記憶媒体５３に格納する発明内容をデジタルカメラ２０として説明したが、デジタルカメラ２０における処理方法の形態としたり、デジタルカメラ２０にインストールされて用いられるプログラムの形態としてもよい。プログラムの形態とする場合、図４に例示した割当設定処理や図９に例示した割当入力処理の各ステップの処理を各手順として適当なプログラミング言語を用いてプログラムすればよい。
【００３７】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３８】
本発明は、撮影装置の製造産業等に利用可能である。
【図面の簡単な説明】
【００３９】
【図１】実施例のデジタルカメラ２０の外観を例示する斜視図。
【図２】実施例のデジタルカメラ２０の背面を例示する背面図。
【図３】実施例のデジタルカメラ２０の機能ブロックを例示するブロック図。
【図４】割当設定処理の一例を示すフローチャート。
【図５】割当画面の一例を説明する説明図。
【図６】メニュー項目表示欄に表示されるメニュー項目の一例を示す説明図。
【図７】格納ファイル選択画面の一例を説明する説明図。
【図８】メニュー項目を実行している様子を説明する説明図。
【図９】割当入力処理の一例を示すフローチャート。
【図１０】入力ファイル選択画面の一例を説明する説明図。
【符号の説明】
【００４０】
２０  デジタルカメラ、２１  ズーム機構付きレンズ、２２  電源ボタン、２３  モードダイヤル、２４  シャッターボタン、２５  セルフタイマー点灯部、３０  背面、３１  液晶ディスプレイ、３１  液晶ディスプレイ、３２  ４方向ボタン、３３  印刷ボタン、３４ａ  Ｗボタン、３４ｂ  Ｔボタン、３５  メニューボタン、３６  Ａボタン、３７  Ｂボタン、３８  ディスプレーボタン、３９  レビューボタン、４０ａ  ＣＰＵ、４０ｂ  ＲＯＭ、４０ｃ  ワークメモリ、４０ｄ  フラッシュメモリ、４２  光学系、４３  イメージセンサ、４４  センサコントローラ、４５  アナログフロントエンド（ＡＦＥ）部、４６  デジタル画像処理部、４７  圧縮伸張部、５０  ディスプレイコントローラ、５２  入出力インタフェース、５３  記憶媒体、５４  ＵＳＢホストコントローラ、５５  ＵＳＢ接続端子。
【図１】
2005086509.tif 000003
【図２】
2005086509.tif 000004
【図３】
2005086509.tif 000005
【図４】
2005086509.tif 000006
【図５】
2005086509.tif 000007
【図６】
2005086509.tif 000008
【図７】
2005086509.tif 000009
【図８】
2005086509.tif 000010
【図９】
2005086509.tif 000011
【図１０】
2005086509.tif 000012